(57)【要約】【課題】ビスや釘等の固着具を安定した状態で仮止めし、固着具の締め付け作業を容易に行うことができる軒樋吊具を提供する。【解決手段】軒樋を支持する支持部と、支持部に連結されビス１０や釘等の固着具で鼻隠し板に取り付けられる座部３とを備え、座部３において表裏に貫通する取付孔３１の内周面３１ａに固着具挿通孔４１を有する固着具保持部材４が形成されており、固着具保持部材４の入側端部４２に固着具の胴部１１を仮止めする第１の係止部５が設けられ、固着具保持部材４の入側端部４２から出側端部４３に向かう途中に固着具の先端部１２を仮止めする第２の係止部６が設けられている。【選択図】図１
2011006912.tif 000002
【特許請求の範囲】
【請求項１】
軒樋を支持する支持部と、支持部に連結され固着具で鼻隠し板に取り付けられる座部とを備え、座部において表裏に貫通する取付孔の内周面に固着具挿通孔を有する固着具保持部材が形成されており、固着具保持部材の入側端部に固着具の胴部を仮止めする第１の係止部が設けられ、固着具保持部材の入側端部から出側端部に向かう途中に固着具の先端部を仮止めする第２の係止部が設けられていることを特徴とする軒樋吊具。
【請求項２】
第１の係止部は、固着具挿通孔の周方向に形成され、固着具挿通孔の内側方向に突出し、その先端で固着具を係止する板状の突起で構成されることを特徴とする請求項１に記載の軒樋吊具。
【請求項３】
第２の係止部は、固着具挿通孔の周方向に沿って形成され、固着具挿通孔の内側方向に突出し、その先端で固着具を係止する板状の突起、又は、固着具保持部材の入側端部から出側端部に向かって孔径が小さくなる傾斜面を有し、出側の孔径が固着具の先端部の外径より小さい突起で構成されることを特徴とする請求項１に記載の軒樋吊具。
【発明の詳細な説明】
【技術分野】
【０００１】
本発明は、軒樋吊具に関する。
【背景技術】
【０００２】
従来、図５に示すような、軒先に軒樋を取り付けるための軒樋吊具１が用いられている。軒樋吊具１は、一般に、軒樋の耳部を保持し、軒樋を支持する支持部２と、支持部２に連結され、ビス１０や釘等の固着具で鼻隠し板２０に取り付けられる座部３とを備えている。
【０００３】
軒樋吊具１は、座部３の背面３ａを軒先に設けられた鼻隠し板２０の屋外面２０ａに当接させ、座部３に形成された表裏に貫通する取付孔３１を通じて固着具としてのビス１０や釘を鼻隠し板２０に打入または螺入して軒先に取り付けられる。
【０００４】
軒樋吊具１の鼻隠し板２０への取付作業は、片方の手で軒樋吊具１の座部３を鼻隠し板２０にあてがいながら、もう片方の手で座部３に設けた取付孔３１にビス１０を入れ、ビス１０が外れないようにしながらドライバー等の工具でビス締め作業を行う必要があり、高所での施工がしにくいという問題があった。そこで、本出願人は、取付孔の前端に固着具を仮止めする係止部を備えた軒樋吊具を提案している（例えば、特許文献１−２）。このような構成とすることで、施工者はビスを指で摘んで保持する必要がなくなり、高所での軒樋吊具の取付作業においては、施工者はビスの脱落を気にすることなく、片方の手でビスを仮止めした座部を鼻隠し板にあてがいながら、もう片方の手でドライバー等の工具を持ってビスの締め込み操作を行うことができる。
【０００５】
しかしながら、実際の締め込み操作の際にはビスを安定させた状態で行う必要があるが、上記構成の軒樋吊具は、取付孔の前端においてビスの胴部を長さ方向の１点で仮止めするものであるため、ビスの頭部が上下左右にぶれてしまうことがあり、この場合には指でビスを安定させつつ座部を手で鼻隠し板にあてがいながら、もう片方の手でビスの締め込み作業を行うことがあり、高所での締め付け作業が容易ではない場面があった。
【０００６】
また、固着具の取付孔が形成された軒樋吊具の座部前面において、取付孔の上下両側に突起部が設けられ、その先端部に爪部を対向して設けた軒樋吊具が知られている（例えば、特許文献３参照）。この軒樋吊具は、取付孔にビスの先端部を取付孔に挿入した状態で突起部の爪部でビスの胴部を係止してビスを仮止めできるものであり、上記特許文献１−２と同様なビス仮保持の効果を奏する。しかしながら、このような構成の軒樋吊具においても、突起部の爪部によるビスの胴部の仮止めが長さ方向の１点のみであり、取付孔に挿入されているビスの先端部が保持されていないので、安定せず、ビスの頭部が上下左右にぶれてしまうことがあった。このため、ビスの締め込み操作では、上記と同様に、指でビスを安定させつつ座部を手で鼻隠し板にあてがいながら、もう片方の手でビスの締め込み作業を行っていた。
【先行技術文献】
【特許文献】
【０００７】
【特許文献１】特開２００７−２９１７４２号公報
【特許文献２】特開２００７−２９１７４３号公報
【特許文献３】特開２００７−１４６４５０号公報
【発明の概要】
【発明が解決しようとする課題】
【０００８】
本発明は以上の通りの事情に鑑みてなされたものであり、ビスや釘等の固着具を安定した状態で仮止めし、固着具の締め付け作業を容易に行うことができる軒樋吊具を提供することを課題としている。
【課題を解決するための手段】
【０００９】
本発明は以下のことを特徴としている。
【００１０】
第１には、軒樋を支持する支持部と、支持部に連結され固着具で鼻隠し板に取り付けられる座部とを備え、座部において表裏に貫通する取付孔の内周面に固着具挿通孔を有する固着具保持部材が形成されており、固着具保持部材の入側端部に固着具の胴部を仮止めする第１の係止部が設けられ、固着具保持部材の入側端部から出側端部に向かう途中に固着具の先端部を仮止めする第２の係止部が設けられている。
【００１１】
第２には、第１の発明において、第１の係止部は、固着具挿通孔の周方向に沿って形成され、固着具挿通孔の内側方向に突出し、その先端で固着具を係止する板状の突起で構成される。
【００１２】
第３には、第１の発明において、第２の係止部は、固着具挿通孔の周方向に形成され、固着具挿通孔の内側方向に突出し、その先端で固着具を係止する板状の突起、又は、固着具保持部材の入側端部から出側端部に向かって孔径が小さくなる傾斜面を有し、出側の孔径が固着具の先端部の外径より小さい突起で構成される。
【発明の効果】
【００１３】
第１の発明によれば、固着具保持部材の入側端部の第１の係止部と入側端部から出側端部に向かう途中の第２の係止部とにより固着具を仮止めできるので、座部からの固着具の脱落を気にすることなく高所での軒樋吊具の取付作業を容易に行うことができる。しかも、固着具挿通孔に挿入された固着具は、胴部と先端部の２点で保持されるため、仮止めの状態であっても固着具の頭部が上下左右にぶれることなく安定した状態で保持される。したがって、高所での固着具の締め込み作業を容易に行うことができ、施工性が良好となる。
【００１４】
第２の発明によれば、第１の係止部が板状の突起であるため、固着具の先端部が第２の係止部で保持される位置まで力をあまりかけずに固着具を挿入することができる。また、胴部径が異なる様々な固着具にも対応できるので、固着具の選択範囲が広がるという利点も有する。
【００１５】
第３の発明によれば、第２の係止部が板状の突起である場合、力をあまりかけずに固着具を挿入することができる。固着具保持部材の入側端部から出側端部に向かって孔径が小さくなる傾斜面を有する突起の場合、固着具の挿入にしたがって先端部が固着具挿通孔の中心に向かうように案内されるので、固着具挿通孔への固着具の挿入が容易になり、施工性がさらに良好になる。また、固着具の周方向、全周にわたって突起が当接するため、より確実な保持が実現できるという利点もある。
【図面の簡単な説明】
【００１６】
【図１】本発明の軒樋吊具の第１実施形態を示した要部断面図である。
【図２】（ａ）は、図１の軒樋吊具における固着具保持部材のＡ−Ａ断面図、（ｂ）は図１の軒樋吊具における固着具保持部材のＢ−Ｂ断面図である。
【図３】本発明の軒樋吊具の第２実施形態を示した要部断面図である。
【図４】図３の軒樋吊具における固着具保持部材のＣ−Ｃ断面図である。
【図５】従来の軒樋吊具を例示した側面図である。
【発明を実施するための形態】
【００１７】
図１は、本発明の軒樋吊具の第１実施形態を示した要部断面図であり、図２（ａ）は、図１の軒樋吊具における固着具保持部材のＡ−Ａ断面図、（ｂ）は図１の軒樋吊具における固着具保持部材のＢ−Ｂ断面図である。
【００１８】
本実施形態の軒樋吊具１の基本構成は、図５に示した軒樋吊具１と共通している。すなわち、本実施形態の軒樋吊具１は、軒樋の耳部を保持し、軒樋を支持する支持部と、支持部に連結され、ビス１０や釘等の固着具で鼻隠し板に取り付けられる座部３とを備えている。座部３は、支持部に対して垂直もしくは略垂直に起立しており、表裏に貫通する取付孔３１が設けられている。
【００１９】
図１に示す軒樋吊具１では、座部３の取付孔３１の内周面３１ａに、ビス１０や釘等の固着具を仮止め、保持する固着具保持部材４が形成されている。この固着具保持部材４は、座部３を構成する材料よりも軟質の材料で構成されていることが好ましく、例えば、座部３がポリカーボネート等の硬質樹脂材料で構成される場合には、ポリプロピレン等の軟質樹脂材料で構成される。固着具保持部材４は、筒状に形成され、内側に固着具挿通孔４１を形成し、出側端部４３周縁に外側に広がる平板状のフランジ４４を有している。固着具保持部材４は、例えば、座部３の背面側から取付孔３１に嵌め込まれ、フランジ４４が座部３の背面３ａに当接するまで差し込まれる。
【００２０】
本実施形態では、固着具保持部材４の入側端部４２にビス１０や釘等の固着具の胴部１１を仮止めする第１の係止部５が設けられ、固着具保持部材４の入側端部４２から出側端部４３に向かう途中にビス１０や釘等の固着具の先端部１２を仮止めする第２の係止部６が設けられている。
【００２１】
第１の係止部５は、図１及び図２（ａ）に示すように、固着具保持部材４の入側端部４２に固着具挿通孔４１の内側方向に突出する平板状の突起５１として構成され、固着具挿通孔４１の周方向に一体に形成されている。平板状の突起５１は、周方向に沿って円弧状に形成され、周方向の３箇所が等間隔に切り欠かれている。平板状の突起５１でなす孔径Ｄ１は、ビス１０の胴部径ｄ１よりも小さくなるように設定されており、固着具保持部材４の固着具挿通孔４１にビス１０を屋外側から挿入すると、平板状の突起５１の先端５１ａにおいてビス１０の胴部１１が保持されるようになっている。突起５１の厚みは、例えば０．１〜０．３ｍｍ程度の範囲に設定され、先端にいくほど薄肉化してビス１０のネジ山に噛み合い可能にしてもよい。このような平板状の突起５１は、上述したようなポリプロピレン等の軟質樹脂材料で構成されており、弾性変形しやすく、その弾性力によってビス１０の保持が可能である。また、突起５１が平板状であるため、ビス１０を固着具挿通孔４１に挿入しやすい。さらに、胴部径が大きいビスでも挿入しやすく、胴部径が異なる各種のビスに対応できるため、ビスの選択範囲が広がる。
【００２２】
本実施形態では、平板状の突起が周方向の３箇所が等間隔に切り欠かれているが、これに限定されない。例えば、切欠きを設けない構成とすることもできる。この場合、平板状の突起が周方向に全周にわたって円弧状に形成されたものとなり、ビス挿入時には、突起先端がビスの胴部の全周を囲むため、より確実なビスの保持が可能になる。また、周方向の２箇所に等間隔で切欠きを設けてもよい。この場合、対向する２箇所に円弧状の突起が形成される。
【００２３】
本実施形態に係る第２の係止部６は、図１及び図２（ｂ）に示すように、固着具保持部材４の入側端部４２から出側端部４３に向かう途中に設けられるが、その基本構成は、上記した第１の係止部５を構成する平板状の突起５１と同様である。すなわち、固着具挿通孔４１の内側方向に突出する平板状の突起６１として構成され、固着具挿通孔４１の周方向に一体に形成されている。この突起６１も、周方向に沿って円弧状に形成され、周方向の３箇所が等間隔に切り欠かれている。
【００２４】
本実施形態に係る第２の係止部６では、平板状の突起６１でなす孔径Ｄ２が、ビス１０の先端部径ｄ２よりも小さくなるように設定されており、固着具保持部材４の固着具挿通孔４１にビス１０を屋外側から挿入すると、突起６１の先端６１ａにおいてビス１０の先端部１２が保持されるようになっている。この突起６１の材質は、第１の係止部５と同様にポリプロピレン等の軟質樹脂材料で構成されており、弾性変形しやすく、その弾性力によってビス１０の保持が可能である。
【００２５】
本実施形態に係る第２の係止部６としての突起６１の厚みや周方向に形成される切欠きの数等は、上記の第１の係止部５を構成する平板状の突起５１と同様であるので説明を省略する。
【００２６】
本実施形態は、第１の係止部５でビス１０の胴部１１を保持し第２の係止部６でビス１０の先端部１２を保持してビス１０を長さ方向の２点で保持するものであるが、より安定した状態でビス１０を保持するためには、第１の係止部５と第２の係止部６が所定の間隔をもって配設されていることが好ましい。ただし、間隔が広すぎると、ビス１０先端部１２を第２の係止部６に係止させるためにビス１０を固着具挿通孔４１に深く差し込まなければならず作業効率の観点から好ましくない。そこで、例えば、固着具保持部材４の固着具挿入方向の全長に対して、入側端部４２から１／５〜４／５の位置に第２の係止部６としての突起６１の先端６１ａが位置するように第２の係止部６を設けることが好ましい。
【００２７】
以上のような構成を有する軒樋吊具１において、ビス１０を固着具保持部材４の固着具挿通孔４１に屋外側から挿入することにより、第１の係止部５と第２の係止部６とによりビス１０を仮止めできるので、座部３からのビス１０の脱落を気にすることなく高所での軒樋吊具１の取付作業を容易に行うことができる。しかも、ビス１０はその胴部１１が第１の係止部５で保持され、先端部１２が第２の係止部６で保持されており、ビス１０の長さ方向の２点で保持されているので、仮止めの状態であってもビス１０の頭部１３が上下左右にぶれることなく安定した状態で保持される。また、第１の係止部５や第２の係止部６は軟質樹脂材料で構成されており、弾性変形しやすくなっているので、仮止めしたビス１０を鼻隠し板に螺入する操作に支障はない。したがって、高所でのビス１０の締め込み作業を容易に行うことができ、施工性が良好となる。
【００２８】
本実施形態では、座部３の取付孔３１に固着具保持部材４が嵌め込まれた状態において、入側端部４２が、取付孔３１より突出するようになっている。このような固着具保持部材４の入側端部４２は緩衝材として機能する緩衝部４５を形成し、軒樋吊具１を鼻隠し板に固定するために固着具保持部材４の固着具挿通孔４１にビス１０を挿入した際、ビス１０の頭部１３で座部３を傷つけてしまうことを防止する。また、ビス１０の頭部１３による座部３の取付孔３１の屋外側孔縁部の応力集中を緩和する効果もある。
【００２９】
図３は、本発明の軒樋吊具の第２実施形態を示した要部断面図であり、図４は、図３の軒樋吊具における固着具保持部材のＣ−Ｃ断面図である。
【００３０】
図３及び図４に示した軒樋吊具において図１に示した軒樋吊具と同じ部分には同一の符号を付し、その説明を省略する。
【００３１】
図３及び図４に示した軒樋吊具１では、第２の係止部６が、固着具保持部材４の入側端部４２から出側端部４３に向かって孔径が小さくなる傾斜面６３を有する突起６２として構成され、固着具挿通孔４１の周方向に一体に形成されている。この突起６２は、ビス１０の挿入方向に径方向の厚みが暫時増大しており、入側端部４２から出側端部４３に向かって孔径が小さくなる円錐台状の固着具挿通孔４１を内側に形成している。そして、突起６２でなす出側の孔径Ｄ３、つまり、突起６２内側の固着具挿通孔４１の孔径の最小値である孔径Ｄ３が、ビス１０の先端部径ｄ２よりも小さくなるように設定されており、固着具保持部材４の固着具挿通孔４１にビス１０を屋外側から挿入すると、突起６２の先端６２ａにおいてビス１０の先端部１２が保持されるようになっている。この突起６２の材質も、上記と同様にポリプロピレン等の軟質樹脂材料で構成されており、弾性変形しやすく、その弾性力によってビス１０の保持が可能である。
【００３２】
以上のような構成の軒樋吊具１においては、ビス１０の挿入にしたがってビス１０の先端部１２が傾斜面６３により固着具挿通孔４１の中心に向かうように案内されるので、固着具挿通孔４１へのビスの挿入が容易になり、施工性がさらに良好になる。また、固着具挿通孔４１の中心に案内されたビス１０の先端部１２は、その周方向、全周にわたって突起６２先端６２ａが当接するため、より確実な保持が実現される。その他の効果は、第１実施形態の軒樋吊具１と同様であるので説明を省略する。
【００３３】
以上、実施形態に基づき本発明を説明したが、本発明は上記の実施形態に何ら限定されるものではなく、その要旨を逸脱しない範囲内において各種の変更が可能である。例えば、第２の係止部の入側もしくは出側に、第１の係止部や第２の係止部と同様の構成の係止部を１以上設けてもよい。これによって、固着具を安定した状態で保持することができ、高所での固着具の締め込み作業を容易に行うことができる。
【符号の説明】
【００３４】
１  軒樋吊具
２  支持部
３  座部
３１  取付孔
３１ａ  内周面
４  固着具保持部材
４１  固着具挿通孔
４２  入側端部
４３  出側端部
５  第１の係止部
５１  突起
５１ａ  先端
６  第２の係止部
６１，６２  突起
６１ａ，６２ａ  先端
６３  傾斜面
１０  ビス
１１  胴部
１２  先端部
【図１】
2011006912.tif 000003
【図２】
2011006912.tif 000004
【図３】
2011006912.tif 000005
【図４】
2011006912.tif 000006
【図５】
2011006912.tif 000007